(57)【要約】【課題】消波ブロックの接地圧を小さくすると共に積み上げ、積み増しが容易であり、波力によっても移動しないようにする。【解決手段】消波ブロック１は、平面形状が円形または多角形の盤状体２であり、上面から底面に貫通孔を有し、底面の周縁部には台座２２が連続的に、または、断続的に形成されて中央に凹部３が形成される。盤状体２の上面の中央部には、底面の凹部３に対応した凸部４が一体的に形成されている。この消波ブロック１を、海底を均して敷設し、一段目の敷設が完了したら、消波ブロック１の上面の凸部４に底面の凹部３を嵌め込み２段目以降を積み重ねて設置し消波堤とする。【選択図】図４
2006090011.tif 000002
【特許請求の範囲】
【請求項１】
平面形状が円形または多角形の盤状体であり、底面の周縁部に台座が突出して中央に凹部が形成され、上面には底面の凹部に対応した突出部を形成した消波ブロック。
【請求項２】
請求項１において、盤状体の上面から底面に貫通穴が形成してある消波ブロック。
【発明の詳細な説明】
【技術分野】
【０００１】
本発明は、波のエネルギーを吸収して消波する消波ブロックに関する。
【背景技術】
【０００２】
海岸に押し寄せる波浪の消波手段として用いる消波ブロックは、多様な形状のものが提案されているが、図８に示すように、突出する脚を有するブロックや十字型のブロックなど、突出脚を有するブロックを、それらの脚を噛み合わせて積み上げ、消波堤を構築していた。
【０００３】
しかしながら、従来の消波ブロックは、ブロックを相互に噛み合わせて堤体を構築するものであるため、平坦な底面を有するものでなく、比較的細長い突出する脚部が、海底面やマウンドに接触する面積が小さく、接地圧が大きくなる傾向があった。
【０００４】
特許文献１（特許２６４９３３８号公報）は、三角形の主体の２つの隅角部より、略直角状に下方に屈曲した脚部を設け、残る隅角部より連結部を形成し、その端部に直交して安定部を形成したものである。
特許文献２（特許２６９０４６３号公報）は、前後方向に所定の間隔を有して離間された前壁と後壁とを、平面視Ｘ形に立体交差する上梁と下梁とにより連結一体化し、前壁の中央部に前後方向に貫通する導水孔を設けたものである。
また、特許文献３（特許２８４７３３９号公報）は、常時海面下に没する状態で水平に配置して使用する中空消波ブロックであって、側面及び底面が全面的に開放され、上面には５〜２５％の開口率となるように複数の開口を設けたものであるが、基本的には箱型であって、噛み合い部分を有していないため、積み上げることを想定しておらず、単独使用することしか想定していないものである。
【特許文献１】特許２６４９３３８号公報
【特許文献２】特許２６９０４６３号公報
【特許文献３】特許２８４７３３９号公報
【発明の開示】
【発明が解決しようとする課題】
【０００５】
前述のように、脚部を有する消波ブロックは、海底地盤との接地面積が小さく接地圧が大きくなる傾向があり、波浪の力によって移動したり沈下することが多く、消波ブロックを積み上げた設置時の形状が維持されなくなるため、積み上げた当初の状態に戻すために消波ブロックの積み増しや、積み直しが必要であった。
一方、底面が平坦な消波ブロックは、噛み合わせ部を有していないため、積み上げても強固に相互を連結する手段がなく、波浪エネルギーによって容易に移動するため、積み上げて消波堤等の堤体とすることはできなかった。
本発明は、消波ブロックの接地圧を小さくすると共に積み上げが容易であり、かつ、積み上げた上下のブロックが強固に噛み合った状態となっていて波力によっても移動しないようにすることである。
【課題を解決するための手段】
【０００６】
平面形状が円形または多角形の盤状体であり、底面の周縁部に台座が突出していて中央部に凹部が形成され、上面には底面の凹部に対応した突出部が形成してある消波ブロックである。
更に、上下に貫通する穴を適宜の位置に形成することにより、揚圧力の低減を図ると共に、運搬、設置の際に利用するものである。
【発明の効果】
【０００７】
消波ブロックの接地面積が比較的大きいため沈下が起こりにくく、消波ブロックが沈下したり移動した場合であっても、既設の消波ブロックの上部に順に積み重ねて消波機能を簡単に回復させることができる。
【発明を実施するための最良の形態】
【０００８】
実施例
本発明を図示の実施例に基づき説明する。
図１及び図２に示すように、消波ブロック１は、無筋コンクリート製で、直径２．５ｍ、厚さ８０ｃｍで平面形状が円形の盤状体２である。平面形状はその他に多角形、例えば図３に示す八角形のものが考えられる。この盤状体２の底面の周縁部には高さ４０ｃｍの突出する台座２２が周縁に沿って連続的に、または、断続的に形成されており、盤状体２の中央部に凹部３が形成される。
【０００９】
そして、盤状体２の上面の中央部には、底面に形成した凹部３に嵌入することができる形状と大きさの凸部４が一体的に形成されている。
上面から底面に貫通する穴１０が、消波ブロック１の中央部と周縁に沿って、ほぼ等間隔に形成してあり、消波ブロック１の底面に作用する揚圧力を低減すると共に、ステンレス製の棒１１を中央部に埋設固定しておくと、運搬時や設置時の手がかり穴として利用することができる。消波ブロック１の重量が軽い場合は、中央の穴１０を利用して１点で吊り上げが可能である。
【００１０】
この消波ブロック１を、図４に示すように、海底を均して隣接させて敷設し、一段目の敷設が完了したら、消波ブロック１の上面の凸部４に底面の凹部３を嵌め込み２段目以降を積み重ねて設置して消波堤とする。
消波堤を供用開始して年月が経過し、消波堤の重量及び波浪の衝撃力によって消波堤が沈下した場合は、新たな消波ブロックを最上段の消波ブロックの上に載置することができ、元通りに簡単に修復することが可能である。
また、地球温暖化等の影響により海水位が上昇し、消波ブロックによって構築した消波堤の天端位置が海水面に対して所定の関係を保てなくなり、消波性能に影響が出る場合も、追加の消波ブロックを積み重ねることによって回復することができる。
【００１１】
この発明の消波ブロックの他の応用例としては、図５に示す緩傾斜の護岸として傾斜面に隣接して敷き並べたり、図６に示すように、人工リーフの捨石マウンドの被覆用として使用することができる。人工リーフの被覆材とする場合は、図示のように、通常とは上下を逆にして使用することも可能である。
また、図７に示すように、ケーソン等を利用した直立護岸の前壁に本発明の消波ブロックを一段または複数段積み重ね、波浪が護岸構造物に直接衝突するのを防止することにも使用できる。
【産業上の利用可能性】
【００１２】
以上説明したように、本発明によれば、底面の周縁部に台座が形成してあるため、接地圧がそれほど大きくならず、消波ブロックが海底面に潜り込むことが防止できると共に、盤状体の上面の中央部には、底面に形成した凹部３に嵌入することができる形状と大きさの凸部４が一体的に形成されており、凹部と凸部を噛み合わせて順に積み重ねて消波堤として一体化することが可能である。
上面から底面に貫通する穴が、消波ブロックの中央部と周縁に沿って、ほぼ等間隔に形成してあり、消波ブロックの底面に作用する揚圧力を低減し、消波ブロックの移動を防止する。更に、この穴は、運搬時や設置時の手がかり穴として利用することができるので設置が容易となる。
【図面の簡単な説明】
【００１３】
【図１】本発明の消波ブロックの平面図。
【図２】本発明の消波ブロックの断面図。
【図３】本発明の消波ブロックの他の実施例。
【図４】本発明の消波ブロックの断面図。
【図５】本発明の消波ブロックの使用例の断面図。
【図６】本発明の消波ブロックの使用例の断面図。
【図７】本発明の消波ブロックの使用例の断面図。
【図８】従来の消波ブロックの使用例の説明図。
【符号の説明】
【００１４】
１    消波ブロック
２    盤状体
２２  台座
３    凹部
１０  穴
４    凸部
【図１】
2006090011.tif 000003
【図２】
2006090011.tif 000004
【図３】
2006090011.tif 000005
【図４】
2006090011.tif 000006
【図５】
2006090011.tif 000007
【図６】
2006090011.tif 000008
【図７】
2006090011.tif 000009
【図８】
2006090011.tif 000010